Podtech/llm-jp-corpus-v4-ja_patent huggingface dataset:
(57)【要約】【課題】  特に冬の朝など外がまだ暗い時の目覚めは、室内は暗く目は光に慣れていない。しかし従来の照明器具はスイッチを入れた瞬間から光量が１００パーセントになり、目が一瞬見えなくなり不快である。【解決方法】  上記課題を解決するため本発明は、該照明器具のスイッチをタイマーもしくは手動にてＯＮにした時、該照明器具の光量調整装置インバーターが任意に設定した時間を費やしてゆっくりと光量を０％から１００％にする。またスイッチをＯＦＦにした時、光量を１００％から０％にする照明器具。【選択図】                図１
2005268192.tif 000002
【特許請求の範囲】
【請求項１】
照明器具において、該照明器具のスイッチをタイマーもしくは手動にてＯＮにした時、該照明器具の光量を任意に設定した時間を費やしてゆっくりと０％から１００％になることを特徴とした照明器具。
【請求項２】
照明器具において、該照明器具のスイッチをタイマーもしくは手動にてＯＦＦにした時、該照明器具の光量を任意に設定した時間を費やしてゆっくりと１００％から０％になることを特徴とした照明器具。
【発明の詳細な説明】
【技術分野】
【０００１】  本発明は、家庭の照明器具に関するものである。
【背景技術】
【０００２】  従来の照明器具はスイッチを入れた瞬間から光量が１００パーセントになり、目が一瞬見えなくなり不快である。【０００３】  また眠る時、照明器具のスイッチを切った瞬間から光量が０パーセントなり、少しの余裕も情緒もない。
【発明の開示】
【発明が解決しようとする課題】
【０００４】そこで、本発明は上記実情を鑑見てなされたもので、照明器具の光量をゆっくりと増減させることにより、光に目を慣らし目への負担を軽減しかつ不快感をなくす。
【問題を解決する為の手段】
【０００５】  請求項１において上記課題を解決するため本発明は、該照明器具のスイッチをタイマーもしくは手動にてＯＮにした時、該照明器具の光量調整装置インバーターが任意に設定した時間を費やしてゆっくりと光量を０％から１００％にする。
【０００６】  また、請求項２において上記課題を解決するため本発明は、寝室内の照明器具において、該照明器具のスイッチをタイマーもしくは手動にてＯＦＦにした時、該照明器具の光量調整装置インバーターが任意に設定した時間を費やしてゆっくりと光量１００％から０％にする。
【発明を実施するための最良の形態】
【０００７】  本発明の実施の形態を図で以下説明する。図１は光量の強さと設定時間の関係を縦軸に光量、横軸に設定時間を表示し、０％から１００％になる右肩上がりのグラフを表したものである。【０００８】    図２は光の強さと設定時間の関係を縦軸に光量、横軸に設定時間を表示し、光量が１００％から０％になる右肩下がりのグラフを表したものである。【０００９】  図３は光の強さと設定時間の関係を縦軸に光量、横軸に設定時間を表示し、光量が１００％から１０％（設定した光量）になり、その後１０％を維持したグラフを表したものである。【００１０】  尚、本発明は、本発明の精神を逸脱しない限りの改変をなすことができ、そして、本発明が改変されたものに及ぶことは当然である。
【発明の効果】
【００１１】  特に冬の朝など外がまだ暗い時の目覚めは、室内は暗く目は明かりに慣れていない。そんな時照明器具の明かりの光量を徐々に変化さながら強めていくことにより、目を光に慣らすことができ、眼に対しての負担を減らすことができる有効な効果と考えられる。
【図面の簡単な説明】
【００１２】
【図１】  光量の増加を表したグラフ。
【図２】  光量の減少を表したグラフ。
【図３】  本発明の其の他の活用方法
【符号の説明】
【００１３】１    任意の設定時間
２    任意の明るさ
【図１】
2005268192.tif 000003
【図２】
2005268192.tif 000004
【図３】
2005268192.tif 000005
(57)【要約】【課題】複数個の押しボタン周囲の各リング形状飾り部のみを、後方のLEDより、均一に見栄え良く、透過照明するボタン装置。【解決手段】キャビネット４、にリング形状飾り部品１０、と一体成型された複数個の押しボタン１１、を配置し、その後方に光反射拡散シート９、すり鉢状の光反射拡散部品８、LED１、を配置し、本LEDの光が、反射、拡散を繰り返す事により、前記リング形状部を均一に、見栄え良く透過照明する。これにより、複数の操作押しボタン周囲の各リング形状飾り部を、ムラ無く、均一に、１ケのランプ、もしくはLEDで照明できるという利点がある。【選択図】図２
2005268158.tif 000002
【特許請求の範囲】
【請求項１】
キャビネットに押し型ボタンとその周囲にリング形状を有する、透明、もしくは、半透明の成型飾り部品を配置し、前記押しボタン後方には、LED、もしくはランプを、且つ、前記LEDを囲む、概すり鉢状の光反射拡散部品を、LED前面には、光ムラ防止用光反射拡散シートを配置した事を特徴とするボタン照明装置。
【発明の詳細な説明】
【技術分野】
【０００１】
本発明は、映像音響機器における押し操作用スイッチの、ボタン照明装置に関するものである。
【背景技術】
【０００２】
昨今の映像音響業界では、他社との差別化を図る為に、暗い所でも操作し易く、店頭でも目を引き、外観見栄えも良い、操作用スイッチボタン等への照明が進んでいる。図６は従来のボタン照明装置の一例である（例えば、特許文献１参照。）。１．は照明用ランプ、もしくはLED  ２．は押し型スイッチ。前記１．２．は印刷基盤上３．に半田付け固定されている。４．はキャビネット  ５．は反射部品  ６．は拡散シートである  ７．は押し型ボタン  ５．６．７．はキャビネット側に取り付け固定されている。この構成により、押しボタンは後方のランプ、もしくはLEDにより照明されている。この構造では、１ケのLEDで、１ケの押しボタン全体を照明する事は可能であるが、１ケのLEDで複数の押しボタン周囲の各リング形状飾り部のみを照明する事は不可能であった。
【特許文献１】実開平４−５２３２７号公報（第６図）
【発明の開示】
【発明が解決しようとする課題】
【０００３】
解決しようとする課題は、1ケ、もしくは数個の、ランプ、LEDにより複数の押しボタン周囲の各リング形状飾り部のみを、照明ムラが無く、均一に照明できない課題があった。
【課題を解決するための手段】
【０００４】
本発明は、複数の操作押しボタン周囲の各リング形状飾り部のみを照明ムラが無く、均一に照明する為に、ランプ、LED周囲には、概すり鉢状の光反射拡散用成型部品を、且つ、これに対向する様に光反射拡散用シートをLED前方に配置した事を主要な特徴とする。
【発明の効果】
【０００５】
本発明のボタン照明装置は、複数の操作押しボタン周囲の各リング形状飾り部を、ムラ無く、均一に、1ケのランプ、もしくはLEDで照明できるという利点がある。
【発明を実施するための最良の形態】
【０００６】
４ケの操作用押しボタン周囲の各リング形状飾り部を、１ケのLEDと最小の部品点数で、光ムラの無い、均一な、効率良い照明を実現した。
【０００７】
（実施の形態）
図１は、本発明装置の実施の形態の、外観斜視図であって、図２は各構成部品の斜視図であり、１．〜４．は図６．の従来例と同構成部品である。８．はLEDをすり鉢状に囲む光反射拡散部品で印刷基盤に爪固定されている。９．はLED前方に配置された光反射拡散シートで押しボタンに圧入固定されており、LEDからの直接光をさえぎりリング飾り部の光ムラをなくしている。１０．はボタン周囲にリング形状を有した透明、もしくは半透明の一体成型飾り部品で、１１．の複数個一体押しボタンと共にキャビネットに挿入固定されており、印刷基盤により固定されている。前記、押しボタンはヒンジ部を有し、複数個が透明、半透明で一体成型されており、押し操作部表面のみは光を通さない金属めっきや金属蒸着加工が施されている。
【０００８】
図３．図５．の矢印で示す様にLEDからの光は一体成型ボタンを通過、もしくは乱反射を繰り返し、前記の一体成型飾り部品のリング部まで到達し照明する。リング形状を有する飾り部品、及び、押しボタンは光が効率よく反射、拡散する様、ガラス粉末等の拡散剤を混入した材料で成型する事で、光ムラを、より無くす方法もある。
【０００９】
本構成により、光ムラ無く、効率よく複数個のリング形状部まで到達させることができる。
【産業上の利用可能性】
【００１０】
本発明により、最少のランプ、LEDにより、複数個の押しボタン周囲のリング形状飾り部品を照明する事が可能である。
【図面の簡単な説明】
【００１１】
【図１】本発明装置のボタン照明装置を搭載した外観図
【図２】本発明装置の各構成部品の分解斜視図
【図３】本発明装置のＡ−Ａ断面図
【図４】本発明装置の正面図
【図５】本発明装置のＢ−Ｂ断面図
【図６】従来の照光式押しボタン機構を示す図
【符号の説明】
【００１２】
１    照明用LED
２    押し型スイッチ
３    印刷基盤
４    キャビネット
５    反射部品
６    拡散シート
７    押しボタン
８    反射拡散部品
９    反射拡散シート
１０    リング形状飾り部品
１１    複数個一体押しボタン
【図１】
2005268158.tif 000003
【図２】
2005268158.tif 000004
【図３】
2005268158.tif 000005
【図４】
2005268158.tif 000006
【図５】
2005268158.tif 000007
【図６】
2005268158.tif 000008
(57)【要約】【課題】  純粋に炭のみでシート状の形態を成す電磁波遮蔽材を提供する。【解決手段】  植物繊維を原料とする糸（和紙糸を除く）１で製作した織物地又は編物地を８００℃から２０００℃の間で炭化して電磁波を遮蔽する炭化シート３とする。【選択図】  図１
2005268579.tif 000002
【特許請求の範囲】
【請求項１】
植物繊維を原料とする糸（和紙糸を除く）で製作した織物地又は編物地を炭化して成る電磁波遮蔽材。
【請求項２】
温度を８００℃から２０００℃の間で炭化して成る請求項１記載の電磁波遮蔽材。
【発明の詳細な説明】
【技術分野】
【０００１】
本発明は、電磁波を遮蔽する遮蔽材に関するものであり、特にシート状の形態をなす遮蔽材に関するものである。
【背景技術】
【０００２】
情報化社会の進展により、電磁波を利活用する各種の通信機器、テレビ、電子レンジ、コンピューター、音響機器、計響機器等の電子機器が多数出回り、多くの人々が恩恵に浴している。
【０００３】
一方、これらの機器からは、当然のこと不必要、余剰の電磁波が放散され、このため同等の機器類をはじめ多数の機械装置類に対し、通信障害が誤動作を生じせしめ、又私達の身体への障害（ペースメーカ設定者等）を起こすに至り、社会問題にもなりつつある。
【０００４】
このような不必要、余剰の電磁波から障害等を防止するためには、発生する電磁波を最少限にする工夫と、例えば、金属導電体で電磁波発生源機器類を被覆し、不必要、余剰電磁波の放散放射等を防止することが行われている。
しかし、複雑な情報機器類を張り巡らすインテリジェントビル等、遮蔽対象規模の大きいものには、その遮蔽は極めて困難である。
又、携帯電話のように小型、軽量化指向の製品にあっては、金属被覆による電磁波防止は逆指向を示すことになる。
【０００５】
このことから、軽量にて電磁波遮蔽が可能と考えられている中で、電磁波の遮蔽作用をもつ炭に関心が示され、微粉状の炭にバインダーを加えてシート状にすることが試みられている。
【０００６】
例えば、特開２００１ー１８９５９０ではトルマリンの微粉末と竹炭の微粉末と金属酸化物の微粉末を接着作用を有する結合材に混入した塗布剤とし、特開２０００ー１９２３７３では炭と接着剤の混合物からなる層を下貼り紙に形成し、特開２０００ー１４４９４９では木炭粉末をシート状に形成し、更に特開平１０ー１７７０８３では紙又は布の上にニカワを塗布し、木炭の粒子を一面に張り付けたものとしている。
【特許文献１】特開２００１ー１８９５９０
【特許文献２】特開２０００ー１９２３７３
【特許文献３】特開２０００ー１４４９４９
【特許文献４】特開平１０ー１７７０８３
【発明の開示】
【発明が解決しようとする課題】
【０００７】
そこで本発明は、従来のようにシート状の基材表面に炭の粉末を散着したり、バインダーと混合し、展伸してシート状に形成したりすることなく、純粋に炭のみでシート状の形態を成す電磁波遮蔽材を提供せんとするものである。
【課題を解決するための手段】
【０００８】
本発明は、植物繊維を原料とする糸（和紙糸を除く）で製作した織物地又は編物地を炭化して成る電磁波遮蔽材としたものである。そして、温度を８００℃から２０００℃の間で炭化したものが好適である。
【０００９】
植物繊維を原料とする糸は木質材であり、製織や編製した織物地又は編物地は木材と同様に炭化すれば炭に成ると共に、織物地又は編物地の形態を維持したシート状の炭を得られるのである。
【００１０】
又、温度を８００℃〜２０００℃の高温で炭化することによって、電磁波を遮蔽できる炭素と成るものである。
【発明の効果】
【００１１】
本発明は、植物繊維を原料とする糸を用いた織物地や編物地を炭化し、その炭の特性を生かし電磁波の遮蔽を行うもので、軽量にして加工、取り扱いが容易なシート状の電磁波遮蔽の資材を提供するものである。したがって、他方面にわたりその特性、特長を生かし利用できるものである。
【発明を実施するための最良の形態】
【００１２】
本発明の実施の一形態を図面に基づいて説明する。
図１は本発明の実施の一形態を示す平面図であり、織物地を炭化シート３にしたものを示す。
織物地を構成する糸１は植物繊維を原料とするものを用いる。植物繊維としては、例えば、綿、麻スフ等が典型であり、単糸、撚り合わせ糸等は任意で、混紡糸や交撚糸としてもよい。
又、炭化しても製織を維持できる充分な太さの糸を選択するものとする。
【００１３】
図１では平織２に製織しているけれど、組織の構成を限定するものでなく、平織２でも炭化した後に組織をそのまま維持できるものである。
炭化は一般に行われている各種炭化方法を選択でき、温度は８００℃から２０００℃の間に設定する。好ましくは、１０００℃から１５００℃が最適であり、強力に電磁波を遮蔽できる結果を得られる。
【００１４】
このようにして、炭化により得られた炭化シート３は、そのままの状態では破損する恐れがあるので、表裏面を別途織物等の補強材で被覆補強し、使用に供するようにする。
図２は、炭化シート３をサンドイッチ状に織物地４、５を表裏面に被覆して接着したものである。
織物地４、５は任意の糸で任意組織で製織したものであり、同一糸で同一組織の織物地であっても、異なる糸で異なる組織であってもよく、適宜織物地を選択してサンドイッチ状の構成とできるものである。
【００１５】
更に、具体的には他人の携帯電話等よりの電磁波障害に対しては、当該被覆補強された炭化シートによりチョッキ等を縫製し、それを着用して対処するものとして利用できる。
【００１６】
以上は織物地について説明したが、編物地に編製しても同様である。
【図面の簡単な説明】
【００１７】
【図１】本発明の炭化物の一実施の形態を示す平面図である。
【図２】本発明のシート状製品の一実施の形態を示す断面図である。
【符号の説明】
【００１８】
１  和紙糸
２  平織
３  炭化シート
４、５  織物地
【図１】
2005268579.tif 000003
【図２】
2005268579.tif 000004
(57)【要約】【課題】食事をするに当たって使用者の遊び心をくすぐって楽しみを与える奇抜で、消費者などの購買意欲を高めることのできる付加価値の高い箸を提供する。【解決手段】予め分離した一対の箸棒１ａの合わせ面１ｂの部位に、又は割り箸を割ったときの一対の箸棒の分離面の部位に形成された収容部２に収容物３が収容されている。【選択図】  図２
2005160623.tif 000002
【特許請求の範囲】
【請求項１】
予め分離した一対の箸棒の合わせ面の部位に、又は割り箸を割ったときの一対の箸棒の分離面の部位に、収容物が収容されてなることを特徴とする箸。
【発明の詳細な説明】
【技術分野】
【０００１】
本発明は、一対の箸棒を分離した際に内部に収容した収容物が表れる箸に関する。
【背景技術】
【０００２】
レストランなどの飲食店での食事の際には例えば割り箸が使用されている。ところで、割り箸は、一対の箸棒を分離して使用する単純な構成であるため、例えば把持部となる基端部に爪楊枝など設けた構成とすることによって、付加価値を高めて差別化を図っている（例えば、特許文献１参照）。
【特許文献１】特開２００３−４７５５０号公報
【発明の開示】
【発明が解決しようとする課題】
【０００３】
そこで、上述したような爪楊枝などの食事に関連して使用されるものだけではなく、食事をするに当たって使用者の遊び心をくすぐって楽しみを与えるような奇抜な箸を提供することによって、消費者などの購買意欲を高めることのできる付加価値の高い箸が要望されていた。
【課題を解決するための手段】
【０００４】
上記の目的を達成するため、本発明は、予め分離した一対の箸棒の合わせ面の部位に、又は割り箸を割ったときの一対の箸棒の分離面の部位に、収容物が収容されてなるものである。
【発明の効果】
【０００５】
本発明によれば、箸に収容部を形成し、この収容部に収容物を収容することにより、使用者の遊び心をくすぐって楽しみを与えることができ、これにより通常の箸との差別化を図って消費者などの購買意欲を高めることができる。
【発明を実施するための最良の形態】
【０００６】
以下、本発明の実施の形態について図面を参照して説明する。
【０００７】
図１は、本発明の箸を示している。
【０００８】
箸１は、一対の箸棒１ａ、１ａからなり、これら箸棒１ａ、１ａを揃え合わせた状態で環状に加工した例えば紙製の帯体Ａで両者を綺麗に結束している。
【０００９】
この箸１の把持部となる基端部には収容部２が形成されている。具体的には収容部２は、図２に示すように上記箸棒１ａ、１ａの合わせ面１ｂにそれぞれ形成された凹部２ａ、２ａからなるもので、当該凹部２ａ、２ａは所定の大きさの例えば矩形状に形成されている。
【００１０】
そして、図１に示すように一対の箸棒１ａ、１ａを結束して一膳の箸１とした場合には、上記収容部２は箸１の基端部内に隠れた状態となって外部からは見えないようになっている。
【００１１】
ところで、このように形成された収容部２には、収容物３（図３参照）を収容するようにしている。収容物３としては、例えば商品引換券や商品券などの紙類を収容部２の大きさに応じて折り畳んだものや、その他におみくじや景品など箸１を結束した状態で収容部２に収容できるものであれば何でも良く、高価なものとしては例えば図４に示すような金などからできた干支にちなんだ人形や、お札などであっても良い。
【００１２】
図３及び図４は、本発明の箸の他の実施の形態を示している。
【００１３】
この箸は、一対の箸棒４ａ、４ａからなる割り箸４であって、先端から途中部かけて予め切り目４ｃが形成されており、この切り目４ｃに沿って把持部となる基端部側も分離させることで使用する。
【００１４】
そして、この割り箸４の基端部にも前述した箸１と同様な構成の収容部２が形成されており、当該収容部２に前述と同様な収容物３が収容されるようになっている。
【００１５】
なお、割り箸４の場合には、箸棒４ａ、４ａの基端部同士は当初一体になっているため、この状態で当該基端部に収容部２を形成して収容物３を収容するのは通常困難である。従って、割り箸４に収容物３を収容する場合には、当該割り箸４を一旦割って箸棒４ａ、４ａに分離させて前記箸１と同様な状態にする。そして、この分離面４ｂに収容部２を形成するとともに当該収容部２に収容物３を収容した後、一対の箸棒４ａ、４ａの基端部分離面４ｂを接着して元の状態の割り箸４と同様になるようにしている。このように基端部分離面４ｂを接着により接合するものの、当該基端部は使用者が把持する部分であることから衛生的には問題がない。
【００１６】
このように収容物３を収容した箸１及び割り箸４は、当該箸１、４の単価と収容物３の価格を考慮してこれに応じた所定割合で通常の収容部２のない箸に混入させることにして使用者に提供する。
【００１７】
例えば、図５に示すように所定本数を包装した状態で提供する場合には、この中に前記箸１（割り箸４）が混入していれば、使用者が使用に当たって該当箸１を分離させたときに収容物３が表れることになる。
【００１８】
従って、使用者が予めこのような箸１、４があることが分かって購入した場合には、使用に当たってまるでくじ引きをするような感覚で楽しむことができ、また、知らない場合でも箸１、４の中から収容物３が突然表れることによって驚きと喜びを与えることができる。
【００１９】
このように、箸１、４を通常の箸に混入しておくことで、使用者の遊び心をくすぐって楽しみを与えることができ、消費者などの購買意欲を高めることができる。
【００２０】
また、本出願人の製造する箸は、杉などの原木から柱材・板材等を切り出した際に発生する残材で、建築材として使用することが不可能な背板（小皮：こわ）や、間伐材を有効利用して生産した環境を重んじたものである。従って、使用者に前記箸１、４を提供することによって、当該使用者に環境にやさしい箸であることを認識してもらうきっかけを与えることもできる。
【００２１】
なお、上述した実施形態は、あくまでも本発明の好適な実施態様を示すものであって、本発明はこれに限定されることなく、その範囲内において種々設計変更可能である。
【００２２】
例えば、一対の箸棒の両方に収容部を形成したものについてのべたが、片方の箸棒にのみ収容部を形成してもよい。
【図面の簡単な説明】
【００２３】
【図１】本発明の箸を示す斜視図である。
【図２】同じく箸を分離した状態を示す斜視図である。
【図３】本発明の箸の他の例を示す斜視図である。
【図４】同じく箸を分離した状態を示す斜視図である。
【図５】箸を梱包した例を示す斜視図である。
【符号の説明】
【００２４】
１  箸
１ａ  箸棒
１ｂ  合わせ面
２  収容部
３  収容物
４  割り箸
４ａ  箸棒
４ｂ  分離面
【図１】
2005160623.tif 000003
【図２】
2005160623.tif 000004
【図３】
2005160623.tif 000005
【図４】
2005160623.tif 000006
【図５】
2005160623.tif 000007
(57)【要約】      （修正有）【課題】突起棒を浮標本体上部に取り付けることにより、多種多様の浮先の交換性を提供する。【解決手段】突起棒１を浮標２に埋設して、浮先３にゴムはかま管４を固着し、突起棒１に嵌合することを特徴とする。【選択図】図４
2005160460.tif 000002
【特許請求の範囲】
【請求項１】
突起棒（１）を浮標（２）に埋設して浮先（３）に、ゴムはかま管（４）を固着し突起棒に（１）に嵌合する魚釣り浮先交換式突起浮。
【発明の詳細な説明】
【発明の詳細な説明】
【技術分野】
【０００１】  本発明は、突起棒を浮標本体上部に取り付け、太さ長さ、種類の違った浮先を交換することで，その日の気象条件、釣法多種多様に適用できる魚釣り浮先交換式突起浮に関するものである。
【背景技術】
【０００２】従来、魚釣り棒浮は、浮標、浮先が固定で作られているものと浮標と浮先が着脱式で使用されているものがあった。
【発明が解決しようとする課題】
【０００３】    これには次のような欠点があった。
（イ）浮標、浮先が固定で作られているものは、釣り場にて浮先を破損してしまうと仕掛け全体を替えなければならない。
（ロ）着脱式のものは、浮標ピンに浮先ゴム管を差し込むときに、浮標ピンより浮先ゴム管の内径が小さいため浮標ピンに入れにくい欠点があった。
（ハ）浮標ピンに掛止め部分が無いために、浮先ゴム管が抜ける事があった。
（ニ）浮標ピン、ゴム管浮先で連結部分がゴム管だけの力で支えあっているため、水面上に風が吹いていると浮先の角度が変わり魚の引きと勘違いする。又、追い風、向かい風が吹いている場合でも、浮先の長さが短く見えてしまい同じことが言える。
本来、棒浮の使命とは浮標上部の水面上にある浮先の目盛りが水面にどれだけ沈んだかということで、魚の引きと判断するもので、風に吹かれて水面上の浮先が折曲してしまっては、浮本来の使命をはたすことができない。
本発明は、これらの欠点を解決するためになされたものである。
【課題を解決するための手段】
【０００４】突起棒（１）に浮標（２）に埋設して、浮先（３）にゴムはかま管（４）を固着し、突起棒（１）に嵌合する。
本発明は、以上の構成からなりうる魚釣り浮先交換式突起浮である。
【発明を実施するための最良の形態】
【０００５】以下、本発明の実施の形態について説明する。
（イ）成樹脂で成型した突起棒（１）を木材で空洞状に成形した、浮標（２）上部に埋設する。
（ロ）浮先（３）の下部にゴムはかま管（４）を固着する。
（ハ）発明は以上のような構造でこれを使用するときは突起棒（１）の先端部分より浮先（３）の内径が多少大きいため、浮先（３）の内部まで突起棒（１）を挿入することで、浮先（３）の角度も変わることもなく、突起棒（１）にゴムはかま管（４）が覆い被さり密着し、浮先（３）が保持される。必要に応じて浮先（３）の長さ、太さ、種類の違ったものを取り付ける。【０００７】本発明の実施の形態では棒状の浮先で説明したが、浮先が丸状のものでも同様に使用できる。
【発明の効果】
【０００８】磯釣りは、早朝から夕暮れまで、一日中釣をしている事がほとんどで、気象条件、釣法が著しく変わり風の強い日は、短めの浮先を波のある時は、長めの浮先、遠投に投げて釣る場合は、太めの浮先と、その日の天候、釣法に瞬時に対応でき、突起棒が水面上の浮先下内部の中心部に挿入され、水面上に風が吹いていても浮先の揺れがなく、魚の細かな引きも確実に浮先に現れるものである。
【０００９】また、着脱式であるため浮先を取り外し、浮全体の長さの半分に、半減できることばかりでなく、浮先の破損も防げ、収納持ち運びも便利である。
【図面の簡単な説明】
【図１】    本発明の正面図
【図２】    本発明の斜視図
【図３】    本発明の分解斜視図
【図４】    本発明の分解断面図
【図５】    本発明の断面図
【符号の説明】
（１）    突起棒
（２）    浮標
（３）    浮先
（４）    ゴムはかま管
（５）    道糸中通しピン
【図１】
2005160460.tif 000003
【図２】
2005160460.tif 000004
【図３】
2005160460.tif 000005
【図４】
2005160460.tif 000006
【図５】
2005160460.tif 000007
(57)【要約】      （修正有）【課題】家庭に有る容器、バケツなどに簡単に取りつけ、利用が出来る釣り魚飛び出し防止具を提供する。【解決手段】円筒形の網を利用し口の方は直経が１３０ｍｍ〜１５０ｍｍ、網の長さは、３００ｍｍ〜４００ｍｍで入り口にはゴムまたは合成樹脂で出来た蓋を取りつけ、一方の網の下口には布用の紐又はゴムの輪により、容器の口にかぶせ、容易に取れないよう、固定する。網は開いたときには網の目は各自開くので直経１５０ｍｍの口の物でも充分に拡大するので、バケツなどの口の大きい容器でも利用出来る。【選択図】図１
2005160459.tif 000002
【特許請求の範囲】
【請求項１】
円形又は楕円形の一種の蓋を作り材質は、ゴム及び合成樹脂などで蓋の直径は、１３０ｍｍ〜１５０ｍｍ楕円形の場合は巾１３０ｍｍ長さ１５０〜１７０ｍｍが良い。蓋の上部は十文字かそれ以上に切れ目を入れ蓋の上部の切れ目より自由に手が入るような薄い材質で弾力のあるものが良い。
【請求項２】
請求項１の蓋には蓋の縁を３０ｍｍ〜４０ｍｍほどで縁には円型の網を取り付ける、網の長さは３００ｍｍ〜４００ｍｍが作業もしやすいようである。網の末端にはゴムか布用の紐を取り付ける。ゴムは弾力があるので伸び縮が出来るので図１のように使用に便利である。
【請求項３】
この防止用具は、円形又は楕円形の蓋に網を取り付け網の末端は例えばバケツなど簡単に用器に取り付けることができる。
【発明の詳細な説明】
【発明の詳細な説明】
【０００１】この発明用具は、魚を釣り用器に入れ保管するとき用器から魚が飛びでない為のもので、防止用具を用いることにより釣った魚を手早く用具に入れ処理出来しかもこの用具より用器に入った魚が絶対に外に飛び出ない、同種の物は今日まだない。
【０００２】今までは釣った魚を入れる用器は木箱か竹かごなど多種あるが蓋などの開閉で手間を取り釣りは敏速を用するだけにこの釣り魚飛び出し防止用具を使用すれば魚が手早く用具より用器に納まり又用器より魚の取り出しも簡単である。
【０００３】この防止用具は、簡単に例えばバケツなど他の用器に取り付けが出来るので家庭にある用具が利用出来るので安価で実に経済的である。
【０００４】この発明については、実際に釣った魚が入れ物より飛び出したのを見て考案した。魚を入れる口は円又は楕円形の蓋のような物を作り材質はゴム質か合成樹脂でその蓋の縁に網を蓋の型に合せ取り付ける取り付けは接着又は縫い付け図２のＡ、Ｂ参照
【発明を実施するための最良の形態】
【０００５】釣り魚飛び出し防止用具は、船釣りなど釣った魚が用器から飛び出し夢中で釣ているうち足で踏みつけ又傷つけることもあるがこの防止用具を使用することにより用器より飛び出す心配もなく、取り出しも簡単で便利である。
【発明の効果】
【０００６】図１の用器に魚を手早く用具を通して入れ魚の飛び出しを防止する。特に釣り場の狭い所では折角釣った魚が飛び出し逃げることがあるがこの用具では絶対に安全で安心出来る。
【図面の簡単な説明】
【図１】Ａは防止用具に用器を取り付けた図と蓋の表面に切れ目を入れた図    Ｂは用具の網の末端にゴムを取り付けた図    Ｃは用具の網に紐を取り付けた図
【図２】Ａは防止用具の蓋の部分に網を接着した図    Ｂは防止用具に紐を利用し取り付けた図
【図１】
2005160459.tif 000003
【図２】
2005160459.tif 000004
(57)【要約】      （修正有）【課題】犬の糞取＆受器の開閉口を糞が取り易く受け易くなるようにすると共に、糞取＆受器本体の長さが使用時以外短くコンパクトになる器具を制作すること。【解決手段】犬の糞取＆受器の開閉口先端部にかぎ形のツメ３，４を設けることにより糞が取り易く、又握り手にある引き手レバー１０を引くことで開閉口が直角以上に開き糞が受け易くなり、尚且つ柄の継ぎ目に丁板とロックボタン８を設けることで本体が半分の長さとなり使用時以外コンパクトに持運びできることが可能に成る。【選択図】図１
2005160456.tif 000002
【特許請求の範囲】
【請求項１】
犬の糞取＆受器の容器（図１と図２）の上蓋（図１の１）の先端部にかぎ型のツメを３つ（図１の３）、下側容器の先端部に上記上蓋のツメと同型のツメ２つ（図１の４）を設け、上下のツメが上記の本体容器の開閉口を閉じた状態で交互に噛み合う様に形成された容器の上蓋（図１の１）の内側に軸受け（図１の７）を２箇所設け、下側容器の上側面にシャフト穴（図１の６）を左右あけシャフトを片方の穴から入れ軸受を通してもう一方の穴で固定し、上蓋（図１の１）（図２の１）の表面にブラケット（図２の１４）を設け、このブラケットに平リンク（図２の１３）→ワイヤー（図４の１２）→丸リンク（図１の１１）の順に連結した部品を上記糞取＆受器本体の筒状の柄の中を通し、握り手に付属する引き手レバー（図１の１０）に連結することにより、上記糞取＆受器の容器の開閉口が直角以上に開くと共に、尚且つ、上記本体の柄の継目部分（図１の１７）は、下側になる面を丁板（図２の１６）で固定し上側になる面にロックボタン（図１の８）を設けこのロックボタンのロックを外す事で、上記柄の継目（１の１７）が屈折し上記糞取＆受器本体の長さが半分に成る犬の糞取＆受器。
【発明の詳細な説明】
【発明の詳細な説明】
【技術分野】
【０００１】本発明は、容器先端部にツメ（図１の３）（図１の４）を設け、（図１の１）の上蓋の開閉口が直角以上に開き糞を取り易く受け易くし、犬の糞取＆受器本体の長さが半分になり持運に便利である。
【背景技術】
【０００２】市販の物では糞取＆糞受の取り口が平行な為糞取りが不便であり、柄がコンパクトにならないので持運び不便である。
【発明が解決しようとする課題】
【０００３】容器先端にツメがある事で糞を取り易くし、直角以上に口を開くので糞も受け易く、糞取＆受器本体の長さが半分になるのでバッグに収納でき持ち運びに便利になるようにして前述の欠点を解決しようとするものである。
【課題を解決するための手段】
【０００４】容器先端部にかぎ型のツメ（図１の３）（図１の４）を設けたことで糞を取り易く、上蓋（図１の１）が直角以上に大きく開く事で糞を受け易く、市販のビニール袋・ティッシュを使用することで容器の汚れ防止になり、尚、糞取＆受器本体が半分に屈折し短くなることで問題点を解決している。
【発明を実施するための最良の形態】
【０００５】容器先端部にかぎ型のツメを上３ツ下２ツ設け上蓋が直角以上に大きく開く事で糞を取り易く受け易く、尚、使用後は糞取＆受器本体の長さが半分になりコンパクトに成ることが可能になる。
【発明の効果】
【０００６】上記の様に本発明は糞を取り易く受け易く使用後の容器の汚れもなく、折りたたみコンパクトにバッグなどに収納出来持運びが便利である。
【図面の簡単な説明】
【図１】本発明器具の正面図である。
【符号の説明】
１    糞取＆受器の蓋  ２    糞取＆受器の容器（下側）  ３    容器先端部の蓋側のツメ（３ツ）  ４    容器先端部下側容器側のツメ（２ツ）  ５    上蓋ブラケット・リンクのカバー  ６    下側容器のシャフト穴（２ツ）  ７    上蓋内側の軸受（２ツ）  ８    ロックボタン  ９    ロック穴１０    引き手レバー１１    丸リンク【図２】１３    平リンク１４    ブラケット１５    リンクカバーを動かすリンク１６    柄の下側に固定の為に付けた丁板１７    柄の継目
【図３】１８    下側容器に固定するシャフト
【図４】１２    平リンクと丸リンクを連結するワイヤー
【図１】
2005160456.tif 000003
【図２】
2005160456.tif 000004
【図３】
2005160456.tif 000005
【図４】
2005160456.tif 000006
【手続補正書】
【提出日】平成16年3月8日(2004.3.8)
【手続補正１】
【補正対象書類名】明細書
【補正対象項目名】全文
【補正方法】変更
【補正の内容】
【発明の詳細な説明】
【技術分野】
【０００１】
【技術分野】本発明は、容器先端部にツメ（図１の３）と（図１の４）を設け、（図１の１）の上蓋の開閉口が直角以上に開き糞を取り易く受け易くし、犬の糞取＆受器本体の長さが半分になり持運びに便利である。【０００２】
【背景技術】市販の物では糞取＆糞受の取り口が平行な為糞取りが不便であり、柄がコンパクトにならないので持運び不便である。【０００３】
【発明が解決しようとする課題】
容器先端にツメがある事で糞を取り易くし、直角以上に口を開くので糞も受け易く、糞取り＆受器本体の長さが半分になるのでバッグに収納でき持ち運びに便利になるようにして前述の欠点を解決しようとするものである。
【０００４】
【課題を解決するための手段】
容器先端部にかぎ型のツメ（図１の３）（図１の４）を設けたことで糞を取り易く、市販のビニール袋・ティッシュを使用することで容器の汚れ防止になり、尚、糞取＆受器本体が半分に屈折し短くなることで問題点を解決している。
【０００５】
【発明を実施するための最良の形態】容器先端部にかぎ型のツメを上３ツ下２ツ設け上蓋が直角以上に大きく開く事で糞を取り易く受け易く、尚、使用後は糞取＆受器本体の長さが半分になりコンパクトに成ることが可能になる。【０００６】
【発明の効果】
上記の様に本発明は糞を取り易く受け易く使用後の容器の汚れもなく、折りたたみコンパクトにバッグなどに収納出来持運びが便利である。
【０００７】。
【図面の簡単な説明】
【図１】本発明器具の正面図である。
【図２】本発明器具の側面図である。
【図３】本発明器具の上蓋を開いた図である。
【図４】本発明器具の柄の継目の開口図である。
【０００８】
【符号の説明】
１  糞取＆受器の蓋  （上側）
２  糞取＆受器の容器  （下側）
３  容器先端部の蓋側のツメ  （３ツ）
４  容器先端部下側容器側のツメ  （２ツ）
５  上蓋ブラケット・リンクのカバー
６  下側容器のシャフト穴  （２ツ）
７  上蓋内側の軸受  （２ツ）
８  ロックボタン
９  ロック穴
１０  引き手レバー
１１  丸リンク
１２  平リンクと丸リンクを連結するワイヤー
１３  平リンク
１４  ブラケット
１５  リンクカバーを動かすリンク
１６  柄の下側に固定の為に付けた丁板
１７  柄の継目
１８  下側容器に固定するシャフト
(57)【要約】【課題】  植物に寄生し養分を吸い植物の成長阻害や病原菌を伝染する害虫を、農薬や殺虫剤を使用せず、また、人の手で一つひとつ取り潰すきわめてわずらわしい作業を不要にし、害虫の習性を利用し自動的に害虫を誘引駆除するようにした、害虫誘引駆除器を提供する。【解決の手段】  底板（１）に、縦壁（２）を設け、縦壁（２）に、傾斜鍔（３）を設け、傾斜鍔（３）に、吊るし紐通し穴（４）を設け、吊るし紐（６）を吊るし紐通し穴（４）に固定し全体に害虫が好む色を付けたことを特徴とする。【選択図】  図４
2005160458.tif 000002
【特許請求の範囲】
【請求項１】
底板（１）に、縦壁（２）を設け、縦壁（２）に、傾斜鍔（３）を
設けたことを特徴とする害虫誘引駆除器。
【請求項２】
底板（１）に、縦壁（２）を設け、縦壁（２）に、傾斜鍔（３）を設け、傾斜鍔（３）に、吊るし紐（６）を通す穴（４）を設けたことを特徴とする害虫誘引駆除器。
【請求項３】
底板（１）に、縦壁（２）を設け、縦壁（２）に、傾斜鍔（３）を設け、黄色を付けたことを特徴とする害虫誘引駆除器。
【請求項４】
底板（１）に、縦壁（２）を設け、縦壁（２）に、傾斜鍔（３）を設け、傾斜鍔（３）に、吊るし紐（６）を通す穴（４）を設け、黄色を付けたことを特徴とする害虫誘引駆除器。
【請求項５】
底板（１）に、縦壁（２）を設け、縦壁（２）に、傾斜鍔（３）を設け、青色を付けたことを特徴とする害虫誘引駆除器。
【請求項６】
底板（１）に、縦壁（２）を設け、縦壁（２）に、傾斜鍔（３）を設け、傾斜鍔（３）に、吊るし紐（６）を通す穴（４）を設け、青色を付けたことを特徴とする害虫誘引駆除器。
【発明の詳細な説明】
【発明の詳細な説明】
【技術分野】
【０００１】この発明は、植物に寄生する害虫を自動的に誘引駆除するようにした、害虫駆除器に関するものである。
【背景技術】
【０００２】従来、害虫駆除は大量の農薬や殺虫剤を散布していたが、残留農薬の汚染や環境への悪影響を及ぼし人体にも大変危険であり、また、農薬や殺虫剤を散布するのには帽子、手袋、防毒マスク、眼鏡などを着用しなければならず面倒で、散布後は石鹸等でよく洗い流さなければならない。また、農薬や殺虫剤を散布しなければ、植物に寄生した害虫を手でいちいち取り潰すため、とても手間がかかっていた。
【発明が解決しようとする課題】
【０００３】これは、つぎのような欠点があった。
（イ）農薬や殺虫剤は作物や人体、土などに残留し危険である。
（ロ）農薬や殺虫剤を散布するのは回数が多く非常に労力が必要である。
（ハ）手で一つひとつ害虫を探し取り潰すのは、とても大変で時間を必要としわめてわずらわしい作業である。
（ニ）植物に害虫が寄生すると植物の養分を吸い取るため植物の成長を阻害し、他の病原菌を伝染させるため病原菌が他の株に移り病気になり収穫が減ってしまう。
本発明は、以上のような欠点をなくすためになされたものである。
【課題を解決するための手段】
【０００４】底板（１）に、縦壁（２）を設け、縦壁（２）に、傾斜鍔（３）を設け、傾斜鍔（３）に、吊るし紐  （６）を通す穴（４）を設け、全体に害虫が好む色を付ける。
本発明は、以上の構成よりなる害虫誘引駆除器である。
【発明を実施するための最良の形態】
【０００５】以下、本発明の実施形態について説明する。
底板（１）に縦壁（２）を設ける。
縦壁（２）に傾斜鍔（３）を設ける。
傾斜鍔（３）に吊るし紐（６）を通す穴（４）を設ける。
全体に害虫が好む色を付ける。
本発明は、以上のような構成でこれを使用するときは、この害虫誘引駆除器に水を少し入れて、植物の葉の下に置くか、傾斜鍔（３）に吊るし紐（６）を通す穴（４）に吊るし紐を通し固定し、植物の幹や葉に吊るす。
そうすると次の要領でで、害虫が自動的に取れるようになる。
害虫が好む色を付けたこの害虫誘引駆除器に害虫が誘引され害虫の本能で集まるので傾斜鍔（３）に、落ちてそのまま縦壁（２）沿いに底（１）へ入り、底の水で溺れてしまいこの中から出られなくなるのである。
【発明の効果】
【０００６】（イ）農薬や殺虫剤の使用量を極力少なくできる。
（ロ）農薬や殺虫剤の散布の手間が減らすことができる。
（ハ）農薬や殺虫剤で植物、人体、土などが汚染されないようにできる。
（二）植物の成長が害虫により阻害され、病原菌の伝染を防ぐことができる。
（ホ）手で一つひとつ害虫を取り潰すきわめてわずらわしい作業をなくすことができる。
（ヘ）簡単に現在寄生している害虫がどの害虫か確実に見ることができる。
（ト）この害虫誘引駆除器は縦壁（２）が大きく傾斜しているので、収納し保管するときは嵩張らず便利である。
【図面の簡単な説明】
【図１】  本発明の側面図である。
【図２】  本発明の斜視図である。
【図３】  本発明の断面図である。
【図４】  本発明の実施図斜視図である。
【符号の説明】
１  底板
２  縦壁
３  傾斜鍔
４  吊るし紐を通す穴
５  害虫
６  吊るし紐
７  植物
【図１】
2005160458.tif 000003
【図２】
2005160458.tif 000004
【図３】
2005160458.tif 000005
【図４】
2005160458.tif 000006
(57)【要約】【課題】  エサを使用する魚釣りにおいて、魚が釣れずにエサだけを食べられてしまうことがよくある。  そこで魚がよく釣れる釣針を提供する。【解決手段】  釣針の千モトに新たにハリ先を設けて、そのハリ先と軸にエサをしっかり固定することによりエサが抜けにくくなり、また釣針に対してエサが上の方にとりつけられることとなり、エサは釣針の下にはみ出しにくくなる。  それにより魚はエサを食べるには釣針を一緒に食べなければならない。だから魚がよく釣れることになる。  以上の特徴を有する釣針である。【選択図】  図４
2005160462.tif 000002
【特許請求の範囲】
【請求項１】
千モト、軸、曲り、ハリ先、アゴを有する従来の釣針において、千モトに新たなハリ先を設けた釣針。
【発明の詳細な説明】
【技術分野】
【０００１】  本発明は、エサを使用する釣針に関するものである。
【背景技術】
【０００２】  従来の釣針の各部分の名称と形状を図１に示す。
千モト（１）軸（２）曲り（３）ハリ先（４）アゴ（５）で成り立っている。
【発明の開示】
【発明が解決しようとする課題】
【０００３】  従来の釣針には次のような欠点があった。
まず、ここではエサとして、カジカの卵（６）クロカワムシ（７）ブトウムシ（８）を例に図２に示して説明する。
図２のエサのとりつけ位置として、カジカの卵、クロカワムシ、ブトウムシはすべて釣針の曲り（３）にとりつけられていて、その曲りより下にエサがはみ出しているので、はみ出した部分だけが魚に食べられてしまう。
それにより魚を釣り逃がしてしまう。
次に図３のカジカの卵（９）クロカワムシ（１０）ブドウムシ（１１）はすべて、釣針の軸（２）にとりつけられている。
この場合、水の流れによる抵抗を受けて、すべてのエサが軸よりすべり落ちて、曲り（３）の部分に集まってしまい、エサがつぶれたり、形がくずれたり、曲りの下にはみ出したりして、魚がエサを食べてくれないか、あるいは逆に、はみ出した部分だけを食べられて、釣り逃してしまうことになる。
なお図２と図３の各エサのとりつけ方は、一般的に行なわれている方法である。
魚を釣る上で必要なことは、エサ釣りの場合、魚がエサを食べると同時に、ハリ先（４）も一緒に食べてもらうことである。
このようにして釣ることが出来る釣針が理想であろう。
【課題を解決するための手段】
【０００４】  千モトに新たなハリ先（１２）を設ける。
図４に示す。
なおハリ先（１２）には、アゴ（１３）がついているが、このアゴも含めてハリ先ということにする。
アゴ（１３）は、釣りをする人により、必要である場合と、ない場合があると思うが、必要でない場合は、とり除けばよいのである。
以上、従来の釣針に新たなハリ先を設けること特徴とする釣針である。
【発明の効果】
【０００５】  図５のカジカの卵（１４）クロカワムシ（１５）ブドウムシ（１６）のように、エサを本発明の釣針にとりつける。
ハリ先（１２）にエサの一方を刺し、軸にも、もう一方を刺し通している。
これでエサはしっかり固定される。
エサが水の流れによる抵抗を受けても、エサは釣針の下の方に落ちてくることはない。
またエサのとりつけ位置も従来の釣針を使用するときと比べて、エサは釣針の上の方にとりつけられていることがわかるであろう。
このようにエサをとりつけると、魚はエサだけを食べて逃げることがむずかしくなり、ハリ先もいっしょに食べなければエサにありつけない。
そのときには魚は釣られてしまうことになる。
エサは、この他にミミズのような長いものもある。ミミズ（１７）もこのようにとりつけ方をくふうして、ここでは、ふたつ折りにしているが、なるべく釣針の下に垂れ落ちないようにしっかり固定することができる。
イクラはハリ先（１２）を利用して、ここにもつけて数を増やすことができる。
イクラ（１８）を釣針につけた状態を示す。
以上、川釣りと川釣りに使用するエサを例にとって説明した。
【発明を実施するための最良の形態】
【０００６】  以下、本発明の実施の形態について説明する。
千モト（１）軸（２）曲り（３）ハリ先（４）アゴ（５）を有する従来の釣針に新たにハリ先（１２）を千モトに設ける。
なおハリ先とはアゴ（１３）も含めてハリ先ということにする。
【実施例１】
【０００７】  図５に本発明の釣針にエサをとりつけた状態を示す。
カジカの卵（１４）クロカワムシ（１５）ブドウムシ（１６）ミミズ（１７）イクラ（１８）。
【図面の簡単な説明】
【０００８】
【図１】従来の釣針の斜視図
【図２】従来の釣針にエサをとりつけた形態の側面図
【図３】従来の釣針にエサをとりつけた形態の側面図
【図４】本発明の釣針の形態の側面図
【図５】本発明の釣針にエサをとりつけた形態の側面図
【符号の説明】
【０００９】１    千モト
２    軸
３    曲り
４    ハリ先
５    アゴ
６    イクラの卵
７    クロカワムシ
８    ブドウムシ
９    イクラの卵
１０  クロカワムシ
１１  ブドウムシ
１２  ハリ先
１３  アゴ
１４  イクラの卵
１５  クロカワムシ
１６  ブドウムシ
１７  ミミズ
１８  イクラ
【図１】
2005160462.tif 000003
【図２】
2005160462.tif 000004
【図３】
2005160462.tif 000005
【図４】
2005160462.tif 000006
【図５】
2005160462.tif 000007
(57)【要約】【課題】  この発明は、従来のまな板の課題と成っていた調理面がつるつるして滑り易く調理がし辛いという課題を解決する為に、水切りを良くし、滑り難いまな板を開発・提供する事にある。【解決手段】  この課題を解決する為の手段として、この発明は、肉や、魚や、野菜や、果物等の調理用まな板において、該まな板の調理面、或いは両面全域に、包丁による切断方向に対して略直角方向に延びる水切り、及び滑り防止用溝を複数設けた事を特徴とするまな板から構成されるものである。【選択図】  図１
2005160905.tif 000002
【特許請求の範囲】
【請求項１】
肉・魚・野菜・果物等の調理用まな板において、該まな板（１）の調理面全域に、包丁による切断方向（Ｙ）に対して、略直角方向、又は所定角度方向に延びる水切り及び滑り防止用溝（１ａ）を複数設けた事を特徴とするまな板。
【請求項２】
まな板（１）の調理面、又は両面全域に、包丁による切断方向（Ｙ）に対して、略直角方向、又は所定角度方向に延びる水切り及び滑り防止用溝（１ａ）を複数設けた事を特徴とする請求項１記載のまな板。
【発明の詳細な説明】
【技術分野】
【０００１】
この発明は、肉・魚・野菜・果物等の調理用まな板に関するものである。
【背景技術】
【０００２】
従来の一般的に良く使用されているまな板には、木製・合成樹脂製・硬質ゴム製等が有るが、何れも調理面が平らで、つるつるしているものが大半である。
【０００３】
従って、果物や魚等、表面がつるつるした物を調理する際、滑り易く、非常に危険であり、神経を使う必要が有る。
【０００４】
又、この他、食材を均等な大きさに切り分ける為に、調理面全域に、等間隔で平行線が付された合成樹脂製のまな板や、木質製・金属製・樹脂製等の薄い材料を積層して形成し、引き剥がす事が出来る使い捨てまな板等が出願されている。（例えば、特許文献1〜２参照。）
【特許文献１】特許公開平１０−２７６９１８
【特許文献２】特許公開２００２−２５３４３２
【０００５】
しかし、これらも又同様、表面がつるつるしていて、水はけが悪く、滑り易く調理がし難いという問題がある。
【発明の開示】
【発明が解決しようとする課題】
【０００６】
そこで、この発明は、上記課題を達成する為に、水はけが良く、滑り難いまな板を開発・提供する事にある。
【課題を解決するための手段】
【０００７】
この課題を解決する為の手段として、この発明は、まな板の調理面、或いは両面全域に、包丁による切断方向に対して略直角方向に延びる水切り及び滑り防止用溝を複数設けたものである。
【発明の効果】
【０００８】
この発明の効果として、まな板の調理面、或いは両面全域に、包丁による切断方向に対して略直角方向に延びる水切り及び滑り防止用溝を複数設ける事で、水切りが良く出来、滑り難くする事で調理がし易く成った。
【０００９】
又、滑り防止用溝を設けることで、多少の勾配がある所でも容易に調理が出来る様に成った。
【００１０】
更に、水切りを良くする事で、豆腐や野菜等を切った後、別の水切り用の器を用意する手間が省け、又、水切り及び滑り防止用溝を設ける事で、消音、或いは減音（減衰）効果が増し、作業性改善に役立つ等、極めて有益なる効果を奏するものである。
【発明を実施するための最良の形態】
【００１１】
この発明を実施する為の最良の形態としては、まな板の表裏両面に水切り及び滑り防止用溝を複数設ければ更に使い勝手の良いまな板に成るが、コスト的に割高になる為、需要と供給のバランスを考慮した総合的な判断が必要と成る。
【実施例１】
【００１２】
そこで、この発明の一実施例を図１〜図２に従って詳述すると、まな板（１）の調理面全域に、包丁による切断方向（Ｙ）に対して、略直角方向に延びる水切り及び滑り防止用溝（１ａ）を複数設けた事を特徴とするまな板から構成される。
【００１３】
次に、この発明の材質及び詳細寸法について説明すると、まず、材質は木製で大きさは、幅寸法（Ｗ）が２２６ｍｍで、長さ寸法（Ｌ）が４５３ｍｍで、板厚寸法（Ｔ）が２３ｍｍで形成されている。
【００１４】
そして、調理面である表面部全域には、包丁による切断方向（Ｙ）に対して略直角方向に延びるＶ形溝（１ａ）の幅寸法（Ｂ）が約１．５ｍｍで、深さ寸法（Ｈ）が約１ｍｍで、ピッチ寸法（Ｐ）が約２ｍｍの水切り及び滑り防止用Ｖ形溝（１ａ）が複数設けられている。
【００１５】
又、まな板（１）の幅方向の右、或いは左端面中央部に金属製の取手（２）がビス等の係止部材（Ｓ）両端2箇所で係止されている。
【００１６】
又、図３は使用例を示し、魚等の滑り易い食材（Ｆ）を調理する場合の斜視図である。
【実施例２】
【００１７】
又、その他の実施例として、まな板（１）の調理面、又は両面全域に、包丁による切断方向（Ｙ）に対して、略直角方向、又は所定角度方向に延びる水切り及び滑り防止用溝（１ａ）を複数設けた事を特徴とするまな板から構成されている。
【００１８】
そして、材質及び水切り及び滑り防止用Ｖ形溝（１ａ）の詳細寸法については上記（００１３）と同一に形成されている。
【産業上の利用可能性】
【００１９】
この発明のまな板は、魚や果物等の滑り易い食材（Ｆ）を調理する場合でも、水切りを良くする事で滑りにくくした事で、調理に不慣れな人でも要領良く調理が出来る等、広範囲の人に効果を発揮する点で産業上の利用可能性を有する。
【図面の簡単な説明】
【００２０】
【図１】この発明の一実施例を示し、（Ａ）は平面図で、（Ｂ）は側面図である。
【図２】この発明の一実施例を示し、図１（Ｂ）のａ部拡大詳細図である。
【図３】この発明の使用例を示し、魚等滑り易い食材を調理する時の斜視図である。
【符号の説明】
【００２１】
１  まな板
１ａ  溝
２  取手
Ｗ  幅寸法
Ｌ  長さ寸法
Ｔ  板厚寸法
Ｂ  溝幅寸法
Ｈ  溝深さ寸法
Ｐ  溝間ピッチ寸法
Ｙ  切断方向
Ｓ  ビス等の係止部材
【図１】
2005160905.tif 000003
【図２】
2005160905.tif 000004
【図３】
2005160905.tif 000005